(57)【要約】【課題】品質管理またはクレーム改善についての利便性が高い傘を提供する。【解決手段】  傘ハンドル２０には、ＩＣチップ２２が埋め込まれている。傘ハンドル２０は、ＩＣチップ読み取り可能となるように磁気を通す材料で形成されており、例えば合成樹脂製あるいは木製などであってもよい。ＩＣチップ２２は、外部のＩＣチップリーダから磁気により非接触の読み取りが可能である。ＩＣチップ２２には、複数の傘１を区別するための製品個体識別情報が記憶されてもよい。ＩＣチップ２２には、様々な情報を追加的に記憶しておくことができ、例えば製造日時、出荷日時、生産工場、生産ライン、生産者、生産国、原材料、その他の各種の製造情報が記憶されてもよい。【選択図】図１
0003220036.tif 000002
【実用新案登録請求の範囲】
【請求項１】
中棒に設けられて傘骨を支持する傘ろくろと、
前記中棒の端部に設けられた傘ハンドルと、
前記傘ろくろと前記傘ハンドルとの少なくとも一方に設けられたＩＣチップと、
を備える傘。
【請求項２】
前記ＩＣチップが複数の傘を互いに区別するための識別情報を記憶した請求項１に記載の傘。
【請求項３】
前記傘ろくろが合成樹脂で形成されており、前記ＩＣチップが前記傘ろくろの内部に埋め込まれた請求項１に記載の傘。
【考案の詳細な説明】
【技術分野】
【０００１】
この考案は、傘に関し、特にＩＣチップが埋め込まれた傘に関する。
【背景技術】
【０００２】
近年、雨傘の需要が増加している。一人が一本の傘を所有する時代から、一人で三本もの傘を所有することが普通となっている。傘の潜在需要は国内人口に比例しており、四億本から五億本と予測されている。
【考案の概要】
【考案が解決しようとする課題】
【０００３】
上記のように傘は大量生産されているので、傘の品質管理あるいはクレーム改善についてさらなる利便性の向上が望まれている。
【０００４】
この考案は、上述のような課題を解決するためになされたもので、品質管理またはクレーム改善についての利便性が高い傘を提供することを目的とする。
【課題を解決するための手段】
【０００５】
この考案は、上記の目的を達成するため、傘であって、中棒に設けられて傘骨を支持する傘ろくろと、前記中棒の端部に設けられた傘ハンドルと、前記傘ろくろと前記傘ハンドルとの少なくとも一方に設けられたＩＣチップと、を備える。
【考案の効果】
【０００６】
この考案によれば、ＩＣチップが埋め込まれたので、品質管理またはクレーム改善についての利便性が高い傘が提供される。
【図面の簡単な説明】
【０００７】
【図１】実施の形態にかかる傘の全体構成を説明する図である。
【図２】実施の形態にかかる傘の変形例を説明する図である。
【図３】実施の形態にかかる傘の変形例を説明する図である。
【考案を実施するための形態】
【０００８】
図１は、実施の形態にかかる傘の全体構成を説明する図である。図１は、開傘状態を表している。図１に示す傘１は、金属製の中棒２を備えている。中棒２の先端部には、樹脂製の上ろくろ３が固定されている。
【０００９】
上ろくろ３は、金属製、カーボン製またはグラスファイバー製の親骨４を支持する。上ろくろ３は、親骨４の一端に連結されている。布製または樹脂製のシート５は、親骨４に沿って張られている。
【００１０】
中棒２の途中には、上ろくろ３と同一材料からなる下ろくろ６が設けられている。上ろくろ３と下ろくろ６とをまとめて「傘ろくろ」とも称す。下ろくろ６は、中棒２の軸方向に移動可能に構成されている。下ろくろ６は、親骨４と同一材料からなる受け骨７を支持する。下ろくろ６は、受け骨７の一端に連結されている。
【００１１】
受け骨７の他端は、上ろくろ３と同一材料からなるダボ８に連結されている。ダボ８は、受け骨７の他端を収容する収容孔と、親骨４が貫通する貫通孔とを有している。
【００１２】
中棒２の先端部には、樹脂製の石突き９が取り付けられている。石突き９と上ろくろ３の間には、円筒状のストッパ１０が設けられている。ストッパ１０と下ろくろ６の間には、コイルばね１１が設けられている。ストッパ１０とコイルばね１１は、開傘時の下ろくろ６の位置を規定する。ストッパ１０とコイルばね１１は、開傘時の衝撃を緩和する機能を有している。
【００１３】
中棒２の途中には、金属製の上はじき１２および下はじき１３が中棒２の外周面から出没自在に設けられている。上はじき１２は、開傘時に下ろくろ６を係止する。下はじき１３は、閉傘時に下ろくろ６を係止する。
【００１４】
傘の組み立て工程を説明する。図１に示した傘１は、例えば次のように組み立てられる。先ず、上ろくろ３、下ろくろ６、ストッパ１０およびコイルばね１１を中棒２に通す。続いて、ダボ８が装着された親骨４の一端を上ろくろ３の収容孔に挿入して固定する。
【００１５】
続いて、ダボ８および下ろくろ６の各収容孔に、受け骨７の両端を挿入してそれぞれ固定する。続いて、中心に孔が形成されたシート５を中棒２に通し、親骨４に沿って張る。続いて、石突きを中棒２に固定する。これにより、図１に示した傘１が得られる。
【００１６】
傘ハンドル２０には、ＩＣチップ２２が埋め込まれている。傘ハンドル２０は、ＩＣチップ読み取り可能となるように磁気を通す材料で形成されており、例えば合成樹脂製あるいは木製などであってもよい。ＩＣチップ２２は、外部のＩＣチップリーダから磁気により非接触の読み取りが可能である。
【００１７】
ＩＣチップ２２には、記憶保持可能な不揮発性記録素子を含む集積回路が構築されている。ＩＣチップ２２には、複数の傘１を区別するための製品個体識別情報が記憶されてもよい。ＩＣチップ２２には、様々な情報を追加的に記憶しておくことができ、例えば製造日時、出荷日時、生産工場、生産ライン、生産者、生産国、原材料、その他の各種の製造情報が記憶されてもよい。
【００１８】
図２は、実施の形態にかかる傘１の変形例を説明する図である。図２に示すように、上ろくろ３と下ろくろ６の少なくとも一方に、つまり傘ろくろの少なくとも一箇所にＩＣチップ２２が埋め込まれていてもよい。製造方法の一例として、上ろくろ３と下ろくろ６が合成樹脂の成型技術により形成される場合には、上ろくろ３と下ろくろ６の合成樹脂成型中にその内部にＩＣチップ２２が埋め込まれてもよい。
【００１９】
ＩＣチップ２２が埋め込まれることで、複数の傘１を識別することができる。傘１の生産工場においての品質管理またはクレーム改善に役立てることができる。トレーサビリティも向上する。また、傘ろくろおよびハンドルは傘にとって必要不可欠な部材なので、これらの部材にＩＣチップ２２を埋め込むようにすれば、わざわざ他の構造物を追加する必要もない。
【００２０】
なお、ＩＣチップ２２は部品の内部に埋め込みとされることで、ＩＣチップ２２の事後的な取り外しを防止できることが好ましい。傘１の個体識別のためには傘１とＩＣチップ２２とが一体不可分となることが好ましいからである。ただし、変形例として、ＩＣチップ２２を傘ろくろの特定の箇所に貼り付けなどで固定しても構わない。
【００２１】
その他の実施の形態を説明する。上記実施の形態は、上ろくろおよび下ろくろを備えるいわゆる手開き傘を前提として説明した。しかしながら、上ろくろ、中ろくろおよび下ろくろを備えるいわゆるジャンプ傘にも適用できる。ジャンプ傘であれば、上ろくろ、中ろくろおよび下ろくろの少なくとも一つに、つまり傘ろくろの少なくとも一箇所にＩＣチップ２２を埋め込むこともできる。
【００２２】
図３は、実施の形態の傘１の変形例を説明する図である。図３には傘ハンドル２０の変形例が図示されていて、傘ハンドル２０の表面に三次元状の網目構造が設けられている。傘ハンドル２０は、有機物の構造式からヒントを得て考案された「蜂の巣状立体編目構造」を備えている。蜂の巣状立体編目構造は、輪郭が三角である三角編目と、輪郭がひし形であるひし形編目と、輪郭が台形である台形編目とが混在した構造である。
【００２３】
蜂の巣状立体編目構造が傘ハンドル２０の表面に凹凸を作り出すことによって、使用者が傘ハンドル２０を持ったときに、種々の利点が発揮される。手のなじみが良好であり安らぎおよび安全性が兼ね備えられた傘ハンドル２０が提供される。傘ハンドル２０によれば、ハイレベルな性能と極めて優れた動作性が提供され、伸び、ねじれ、圧力などにも影響されにくい。
【符号の説明】
【００２４】
１  傘
２  中棒
３  上ろくろ
４  親骨
５  シート
６  下ろくろ
７  骨
８  ダボ
９  石突き
１０  ストッパ
１１  コイルばね
１２  上はじき
１３  下はじき
２０  傘ハンドル
２２  ＩＣチップ
【図１】
0003220036.tif 000003
【図２】
0003220036.tif 000004
【図３】
0003220036.tif 000005